(57)【要約】【課題】本発明はマスク付ニット帽を開示した。【解決手段】ニット帽を含み、前記ニット帽の中の底部には引掛り溝が設けられ、前記ニット帽の下にはマスクが設けられ、前記マスクの頂端にはボタンが設けられ、前記ボタンが前記引掛り溝と接続され、前記マスクの中には浄化チャンバが設けられ、前記浄化チャンバの中には吸着装置が設けられ、前記吸着装置には清掃装置が設けられ、前記浄化チャンバの下壁の中には正反チャンバが設けられ、前記正反チャンバの中には切換装置が設けられ、前記浄化チャンバの中には駆動装置が設けられ、前記駆動装置は前記浄化チャンバの中に位置される羽根を含み、前記正反チャンバの左壁の中にはベルトチャンバが設けられ、前記ベルトチャンバの中には主軸が設けられ、前記主軸と前記羽根とが固定的に接続される。【選択図】図１
2020143414.tif 000002
【特許請求の範囲】
【請求項１】
ニット帽を含み、前記ニット帽の中の底部には引掛り溝が設けられ、前記ニット帽の下にはマスクが設けられ、前記マスクの頂端にはボタンが設けられ、前記ボタンが前記引掛り溝と接続され、前記マスクの中には浄化チャンバが設けられ、前記浄化チャンバの中には吸着装置が設けられ、前記吸着装置には清掃装置が設けられ、前記浄化チャンバの下壁の中には正反チャンバが設けられ、前記正反チャンバの中には切換装置が設けられ、前記浄化チャンバの中には駆動装置が設けられ、前記駆動装置は前記浄化チャンバの中に位置される羽根を含み、前記正反チャンバの左壁の中にはベルトチャンバが設けられ、前記ベルトチャンバの中には主軸が設けられ、前記主軸と前記羽根とが固定的に接続され、前記主軸の右端には一方向傘歯車が設けられ、前記主軸の外壁には主プーリが設けられる；該設備は前記吸着装置によって吸い込まれる空気を静電気で吸着浄化できることを特徴とするマスク付ニット帽。
【請求項２】
前記吸着装置は前記浄化チャンバの右端に設置される濾過網を含み、前記正反チャンバの中には分配軸が設けられ、前記分配軸の左端には従プーリが設けられ、前記従プーリと前記主プーリとの間には第一ベルトが伝動できるように設けられ、前記正反チャンバの右壁の中には加速チャンバが設けられ、前記加速チャンバの中には左軸が設けられ、前記左軸の中には太陽歯車が設けられ、前記太陽歯車と前記リングギヤとの間には遊星歯車が伝動できるように設けられ、前記左軸の右端には永久磁石が設けられ、前記加速チャンバの右壁の中にはコイルが設けられ、前記加速チャンバの頂壁の中には電池が設けられ、前記電池と前記コイルとが下電気配線によって電気的に接続され、前記正反チャンバの右壁の中には接続チャンバが設けられ、前記接続チャンバの中にはプラグがスライドできるように設けられ、前記プラグと前記接続チャンバの底壁との間には復帰撥条が弾性的に設けられ、前記プラグと前記電池とが左電気配線によって電気的に接続され、前記接続チャンバの頂壁の中にはコンセントが設けられ、前記浄化チャンバの中には吸着板が上下に対称的に設置され、前記吸着板と前記コンセントとが上電気配線によって電気的に接続される；前記吸着装置によって空気内の異物を吸着し、空気を浄化できることを特徴とする請求項１に記載のマスク付ニット帽。
【請求項３】
前記切換装置は前記分配軸の外壁に設置される回し輪を含み、前記正反チャンバの中にはスリーブ軸が設けられ、前記スリーブ軸の左端には溝付き輪が設けられ、前記スリーブ軸の右端には回転盤が設けられ、前記回転盤の中にはスライドチャンバが設けられ、前記スライドチャンバの中にはねじボルトが設けられ、前記回転盤の中には凸ブロックがスライドできるように設置され、前記凸ブロックと前記ねじボルトがねじ山によって係合され、前記ねじボルトの底部には副傘歯車が設けられ、前記スライドチャンバの中には心棒が設けられ、前記心棒の右端には正傘歯車が設けられ、前記心棒の左端には副プーリが設けられ、前記分配軸の外壁には一方向プーリが設けられ、前記一方向プーリと前記副プーリとの間には第二ベルトが伝動できるように設置され、前記心棒と前記スライドチャンバの左壁との間には力蓄積ばねが設けられる；前記切換装置によって前記吸着板の通電状態を制御できることを特徴とする請求項１に記載のマスク付ニット帽。
【請求項４】
前記清掃装置は前記浄化チャンバの中に設置される縦軸を含み、前記縦軸の頂端には従傘歯車が設置され、前記縦軸の底端には回転ロッドが設置され、前記浄化チャンバの中には掃き板がスライドできるように設けられ、前記掃き板の底端には刷毛が設けられ、前記掃き板の中にはスライド溝が設けられ、前記スライド溝が前記回転ロッドと係合される；前記清掃装置によって前記吸着板の頂端を清掃し、前記吸着装置の吸着効果を保証できることを特徴とする請求項１に記載のマスク付ニット帽。
【発明の詳細な説明】
【技術分野】
【０００１】
本発明は生活用品分野に関し、具体的にはマスク付ニット帽である。
【背景技術】
【０００２】
寒い冬において、ニット帽を被ったり、火をつけたりして暖を取る人が多い一方、火をつければつけるほど空気が悪くなり、健康を守るためにマスクがすでに日常生活で不可欠な用品となり、しかし、ニット帽とマスクを同時に着用することに不便があるだけでなく、現在のマスクでは空気を浄化する限度があり、そのため、浄化効果が高く、且つ着用しやすいマスク付ニット帽を提供するのは本願発明の目的である。
【先行技術文献】
【特許文献】
【０００３】
【特許文献１】中国特許出願公開第106490721号明細書
【発明の概要】
【発明が解決しようとする課題】
【０００４】
本発明の目的はマスク付ニット帽を提供し、それは上記の現在の技術中の問題を解決できる。
【課題を解決するための手段】
【０００５】
本発明のマスク付ニット帽は、ニット帽を含み、前記ニット帽の中の底部には引掛り溝が設けられ、前記ニット帽の下にはマスクが設けられ、前記マスクの頂端にはボタンが設けられ、前記ボタンが前記引掛り溝と接続され、前記マスクの中には浄化チャンバが設けられ、前記浄化チャンバの中には吸着装置が設けられ、前記吸着装置には清掃装置が設けられ、前記浄化チャンバの下壁の中には正反チャンバが設けられ、前記正反チャンバの中には切換装置が設けられ、前記浄化チャンバの中には駆動装置が設けられ、前記駆動装置は前記浄化チャンバの中に位置される羽根を含み、前記正反チャンバの左壁の中にはベルトチャンバが設けられ、前記ベルトチャンバの中には主軸が設けられ、前記主軸と前記羽根とが固定的に接続され、前記主軸の右端には一方向傘歯車が設けられ、前記主軸の外壁には主プーリが設けられる；該設備は前記吸着装置によって吸い込まれる空気を静電気で吸着浄化できる。
【０００６】
優選的には、前記吸着装置は前記浄化チャンバの右端に設置される濾過網を含み、前記正反チャンバの中には分配軸が設けられ、前記分配軸の左端には従プーリが設けられ、前記従プーリと前記主プーリとの間には第一ベルトが伝動できるように設けられ、前記正反チャンバの右壁の中には加速チャンバが設けられ、前記加速チャンバの中には左軸が設けられ、前記左軸の中には太陽歯車が設けられ、前記太陽歯車と前記リングギヤとの間には遊星歯車が伝動できるように設けられ、前記左軸の右端には永久磁石が設けられ、前記加速チャンバの右壁の中にはコイルが設けられ、前記加速チャンバの頂壁の中には電池が設けられ、前記電池と前記コイルとが下電気配線によって電気的に接続され、前記正反チャンバの右壁の中には接続チャンバが設けられ、前記接続チャンバの中にはプラグがスライドできるように設けられ、前記プラグと前記接続チャンバの底壁との間には復帰撥条が弾性的に設けられ、前記プラグと前記電池とが左電気配線によって電気的に接続され、前記接続チャンバの頂壁の中にはコンセントが設けられ、前記浄化チャンバの中には吸着板が上下に対称的に設置され、前記吸着板と前記コンセントとが上電気配線によって電気的に接続される；前記吸着装置によって空気内の異物を吸着し、空気を浄化できる。
【０００７】
優選的には、前記切換装置は前記分配軸の外壁に設置される回し輪を含み、前記正反チャンバの中にはスリーブ軸が設けられ、前記スリーブ軸の左端には溝付き輪が設けられ、前記スリーブ軸の右端には回転盤が設けられ、前記回転盤の中にはスライドチャンバが設けられ、前記スライドチャンバの中にはねじボルトが設けられ、前記回転盤の中には凸ブロックがスライドできるように設置され、前記凸ブロックと前記ねじボルトがねじ山によって係合され、前記ねじボルトの底部には副傘歯車が設けられ、前記スライドチャンバの中には心棒が設けられ、前記心棒の右端には正傘歯車が設けられ、前記心棒の左端には副プーリが設けられ、前記分配軸の外壁には一方向プーリが設けられ、前記一方向プーリと前記副プーリとの間には第二ベルトが伝動できるように設置され、前記心棒と前記スライドチャンバの左壁との間には力蓄積ばねが設けられる；前記切換装置によって前記吸着板の通電状態を制御できる。
【０００８】
優選的には、前記清掃装置は前記浄化チャンバの中に設置される縦軸を含み、前記縦軸の頂端には従傘歯車が設置され、前記縦軸の底端には回転ロッドが設置され、前記浄化チャンバの中には掃き板がスライドできるように設けられ、前記掃き板の底端には刷毛が設けられ、前記掃き板の中にはスライド溝が設けられ、前記スライド溝が前記回転ロッドと係合される；前記清掃装置によって前記吸着板の頂端を清掃し、前記吸着装置の吸着効果を保証できる。
【発明の効果】
【０００９】
本発明の有益効果は：本発明は構造が簡単で、メンテナンスが便利で、生産が簡単であり、ニット帽をかぶると同時にマスクも簡単に着用でき、しかもマスクは静電気吸着原理によって浄化効果が顕著であり、吸い込まれた空気質を保証でき、より高い使用と宣伝価値を有する。
【図面の簡単な説明】
【００１０】
【図１】図１は本発明のマスク付ニット帽の全体構成模式図である；
【図２】図2は図1のＡの構成概略図である；
【図３】図3は図2のＢの構造概略図である。
【発明を実施するための形態】
【００１１】
以下、図1-3を合わせて本発明を詳しく説明し、便利に叙述するように、現在は後文に出る方位を下記の通りに規定する：後文に出る上下左右前後方向は図1本体の投影関係の上下左右前後方向と一致する。
【００１２】
図1-3が示すように、本発明のマスク付ニット帽は、ニット帽11を含み、前記ニット帽11の中の底部には引掛り溝12が設けられ、前記ニット帽11の下にはマスク14が設けられ、前記マスク14の頂端にはボタン13が設けられ、前記ボタン13が前記引掛り溝12と接続され、前記マスク14の中には浄化チャンバ34が設けられ、前記浄化チャンバ34の中には吸着装置100が設けられ、前記吸着装置100には清掃装置300が設けられ、前記浄化チャンバ34の下壁の中には正反チャンバ40が設けられ、前記正反チャンバ40の中には切換装置200が設けられ、前記浄化チャンバ34の中には駆動装置400が設けられ、前記駆動装置400は前記浄化チャンバ34の中に位置される羽根16を含み、前記正反チャンバ40の左壁の中にはベルトチャンバ20が設けられ、前記ベルトチャンバ20の中には主軸17が設けられ、前記主軸17と前記羽根16とが固定的に接続され、前記主軸17の右端には一方向傘歯車33が設けられ、前記主軸17の外壁には主プーリ18が設けられる；該設備は前記吸着装置100によって吸い込まれる空気を静電気で吸着浄化できる。
【００１３】
有益的には、前記吸着装置100は前記浄化チャンバ34の右端に設置される濾過網25を含み、前記正反チャンバ40の中には分配軸22が設けられ、前記分配軸22の左端には従プーリ21が設けられ、前記従プーリ21と前記主プーリ18との間には第一ベルト19が伝動できるように設けられ、前記正反チャンバ40の右壁の中には加速チャンバ55が設けられ、前記加速チャンバ55の中には左軸52が設けられ、前記左軸52の中には太陽歯車51が設けられ、前記太陽歯車51と前記リングギヤ49との間には遊星歯車50が伝動できるように設けられ、前記左軸52の右端には永久磁石54が設けられ、前記加速チャンバ55の右壁の中にはコイル53が設けられ、前記加速チャンバ55の頂壁の中には電池24が設けられ、前記電池24と前記コイル53とが下電気配線23によって電気的に接続され、前記正反チャンバ40の右壁の中には接続チャンバ39が設けられ、前記接続チャンバ39の中にはプラグ37がスライドできるように設けられ、前記プラグ37と前記接続チャンバ39の底壁との間には復帰撥条38が弾性的に設けられ、前記プラグ37と前記電池24とが左電気配線61によって電気的に接続され、前記接続チャンバ39の頂壁の中にはコンセント36が設けられ、前記浄化チャンバ34の中には吸着板25が上下に対称的に設置され、前記吸着板25と前記コンセント36とが上電気配線35によって電気的に接続される；前記吸着装置100によって空気内の異物を吸着し、空気を浄化できる。
【００１４】
有益的には、前記切換装置200は前記分配軸22の外壁に設置される回し輪48を含み、前記正反チャンバ40の中にはスリーブ軸42が設けられ、前記スリーブ軸42の左端には溝付き輪41が設けられ、前記スリーブ軸42の右端には回転盤56が設けられ、前記回転盤56の中にはスライドチャンバ62が設けられ、前記スライドチャンバ62の中にはねじボルト59が設けられ、前記回転盤56の中には凸ブロック60がスライドできるように設置され、前記凸ブロック60と前記ねじボルト59がねじ山によって係合され、前記ねじボルト59の底部には副傘歯車58が設けられ、前記スライドチャンバ62の中には心棒44が設けられ、前記心棒44の右端には正傘歯車57が設けられ、前記心棒44の左端には副プーリ43が設けられ、前記分配軸22の外壁には一方向プーリ47が設けられ、前記一方向プーリ47と前記副プーリ43との間には第二ベルト46が伝動できるように設置され、前記心棒44と前記スライドチャンバ62の左壁との間には力蓄積ばね45が設けられる；前記切換装置200によって前記吸着板25の通電状態を制御できる。
【００１５】
有益的には、前記清掃装置300は前記浄化チャンバ34の中に設置される縦軸30を含み、前記縦軸30の頂端には従傘歯車31が設置され、前記縦軸30の底端には回転ロッド29が設置され、前記浄化チャンバ34の中には掃き板27がスライドできるように設けられ、前記掃き板27の底端には刷毛26が設けられ、前記掃き板27の中にはスライド溝28が設けられ、前記スライド溝28が前記回転ロッド29と係合される；前記清掃装置300によって前記吸着板25の頂端を清掃し、前記吸着装置100の吸着効果を保証できる。
【００１６】
該設備を使用する時、使用者は帽子を頭にかぶり、マスクを着用しようとする時、ボタン13が引掛り溝12と係合され、使用者は空気を吸い込むと、羽根16が正方向に回転して主軸17と、主プーリ18と、従プーリ21とによって分配軸22を回転連動させ、更に回し輪48と、溝付き輪41と、スリーブ軸42と、回転盤56と、凸ブロック60とによってプラグ37を連動させて上にスライドさせてコンセント36と係合させ、同時に分配軸22がリングギヤ49と、遊星歯車50と、太陽歯車51と、左軸52とによって永久磁石54を回転連動させ、永久磁石54とコイル53が相対的な運動を行って電流を発生し、また下電気配線23と、電池24と、左電気配線61と、プラグ37と、コンセント36と、上電気配線35とによって吸着板25を通電連動させ、吸い込まれた空気を浄化し、使用者が空気を吐き出す時、羽根16が逆方向に回転して主軸17によって主プーリ18と、一方向傘歯車33とを回転連動させ、主プーリ18が従プーリ21と、分配軸22と、一方向プーリ47と、副プーリ43と、心棒44と、正傘歯車57と、副傘歯車58と、ねじボルト59とによって凸ブロック60を下にスライド連動させ、更にプラグ37を連動させて下にスライドさせ手コンセント36との係合から離脱させ、同時に、力蓄積ばね45の弾性位置エネルギーが増え、これと同時に、一方向傘歯車33が従傘歯車31と、縦軸30と、回転ロッド29とによって掃き板27を連動させて前後にスライドさせ、更に刷毛26を連動させて前後にスライドさせて吸着板25の頂端を清掃し、使用者が空気を吐き出す時、力蓄積ばね45の弾性位置エネルギーが釈放されて正傘歯車57を連動させて逆方向に回転させ、また副傘歯車58とねじボルト59によって凸ブロック60を連動させて上にスライドさせ、次の循環に入る。
【００１７】
本発明の有益効果は：本発明は構造が簡単で、メンテナンスが便利で、生産が簡単であり、ニット帽をかぶると同時にマスクも簡単に着用でき、しかもマスクは静電気吸着原理によって浄化効果が顕著であり、吸い込まれた空気質を保証でき、より高い使用と宣伝価値を有する。
【００１８】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020143414.tif 000003
【図２】
2020143414.tif 000004
【図３】
2020143414.tif 000005
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
ニット帽を含み、前記ニット帽の中の底部には引掛り溝が設けられ、前記ニット帽の下にはマスクが設けられ、前記マスクの頂端にはボタンが設けられ、前記ボタンが前記引掛り溝と接続され、前記マスクの中には浄化チャンバが設けられ、前記浄化チャンバの中には吸着装置が設けられ、前記吸着装置には清掃装置が設けられ、前記浄化チャンバの下壁の中には正反チャンバが設けられ、前記浄化チャンバの中には駆動装置が設けられ、前記駆動装置は前記浄化チャンバの中に位置される羽根を含み、前記正反チャンバの左壁の中にはベルトチャンバが設けられ、前記ベルトチャンバの中には主軸が設けられ、前記主軸と前記羽根とが固定的に接続され、前記主軸の右端には一方向傘歯車が設けられ、前記主軸の外壁には主プーリが設けられる；該設備は前記吸着装置によって吸い込まれる空気を静電気で吸着浄化でき、
前記分配軸の外壁には回し輪が設けられ、前記正反チャンバの中にはスリーブ軸が設けられ、前記スリーブ軸の左端には溝付き輪が設けられ、前記スリーブ軸の右端には回転盤が設けられ、前記回転盤の中にはスライドチャンバが設けられ、前記スライドチャンバの中にはねじボルトが設けられ、前記回転盤の中には凸ブロックがスライドできるように設置され、前記凸ブロックと前記ねじボルトがねじ山によって係合され、前記ねじボルトの底部には副傘歯車が設けられ、前記スライドチャンバの中には心棒が設けられ、前記心棒の右端には正傘歯車が設けられ、前記心棒の左端には副プーリが設けられ、前記分配軸の外壁には一方向プーリが設けられ、前記一方向プーリと前記副プーリとの間には第二ベルトが伝動できるように設置され、前記心棒と前記スライドチャンバの左壁との間には力蓄積ばねが設けられることを特徴とするマスク付ニット帽。
【請求項２】
前記吸着装置は前記浄化チャンバの右端に設置される濾過網を含み、前記正反チャンバの中には分配軸が設けられ、前記分配軸の左端には従プーリが設けられ、前記従プーリと前記主プーリとの間には第一ベルトが伝動できるように設けられ、前記正反チャンバの右壁の中には加速チャンバが設けられ、前記加速チャンバの中には左軸が設けられ、前記左軸の中には太陽歯車が設けられ、前記太陽歯車とリングギヤとの間には遊星歯車が伝動できるように設けられ、前記左軸の右端には永久磁石が設けられ、前記加速チャンバの右壁の中にはコイルが設けられ、前記加速チャンバの頂壁の中には電池が設けられ、前記電池と前記コイルとが下電気配線によって電気的に接続され、前記正反チャンバの右壁の中には接続チャンバが設けられ、前記接続チャンバの中にはプラグがスライドできるように設けられ、前記プラグと前記接続チャンバの底壁との間には復帰撥条が弾性的に設けられ、前記プラグと前記電池とが左電気配線によって電気的に接続され、前記接続チャンバの頂壁の中にはコンセントが設けられ、前記浄化チャンバの中には吸着板が上下に対称的に設置され、前記吸着板と前記コンセントとが上電気配線によって電気的に接続される；前記吸着装置によって空気内の異物を吸着し、空気を浄化できることを特徴とする請求項１に記載のマスク付ニット帽。
【請求項３】
前記清掃装置は前記浄化チャンバの中に設置される縦軸を含み、前記縦軸の頂端には従傘歯車が設置され、前記縦軸の底端には回転ロッドが設置され、前記浄化チャンバの中には掃き板がスライドできるように設けられ、前記掃き板の底端には刷毛が設けられ、前記掃き板の中にはスライド溝が設けられ、前記スライド溝が前記回転ロッドと係合される；前記清掃装置によって前記吸着板の頂端を清掃し、前記吸着装置の吸着効果を保証できることを特徴とする請求項１に記載のマスク付ニット帽。
【手続補正２】
【補正対象書類名】明細書
【補正対象項目名】全文
【補正方法】変更
【補正の内容】
【発明の詳細な説明】
【技術分野】
【０００１】
本発明は生活用品分野に関し、具体的にはマスク付ニット帽である。
【背景技術】
【０００２】
寒い冬において、ニット帽を被ったり、火をつけたりして暖を取る人が多い一方、火をつければつけるほど空気が悪くなり、健康を守るためにマスクがすでに日常生活で不可欠な用品となり、しかし、ニット帽とマスクを同時に着用することに不便があるだけでなく、現在のマスクでは空気を浄化する限度があり、そのため、浄化効果が高く、且つ着用しやすいマスク付ニット帽を提供するのは本願発明の目的である。
【先行技術文献】
【特許文献】
【０００３】
【特許文献１】中国特許出願公開第１０６４９０７２１号明細書
【発明の概要】
【発明が解決しようとする課題】
【０００４】
本発明の目的はマスク付ニット帽を提供し、それは上記の現在の技術中の問題を解決できる。
【課題を解決するための手段】
【０００５】
本発明のマスク付ニット帽は、ニット帽を含み、前記ニット帽の中の底部には引掛り溝が設けられ、前記ニット帽の下にはマスクが設けられ、前記マスクの頂端にはボタンが設けられ、前記ボタンが前記引掛り溝と接続され、前記マスクの中には浄化チャンバが設けられ、前記浄化チャンバの中には吸着装置が設けられ、前記吸着装置には清掃装置が設けられ、前記浄化チャンバの下壁の中には正反チャンバが設けられ、前記浄化チャンバの中には駆動装置が設けられ、前記駆動装置は前記浄化チャンバの中に位置される羽根を含み、前記正反チャンバの左壁の中にはベルトチャンバが設けられ、前記ベルトチャンバの中には主軸が設けられ、前記主軸と前記羽根とが固定的に接続され、前記主軸の右端には一方向傘歯車が設けられ、前記主軸の外壁には主プーリが設けられる；該設備は前記吸着装置によって吸い込まれる空気を静電気で吸着浄化でき、
前記分配軸の外壁には回し輪が設けられ、前記正反チャンバの中にはスリーブ軸が設けられ、前記スリーブ軸の左端には溝付き輪が設けられ、前記スリーブ軸の右端には回転盤が設けられ、前記回転盤の中にはスライドチャンバが設けられ、前記スライドチャンバの中にはねじボルトが設けられ、前記回転盤の中には凸ブロックがスライドできるように設置され、前記凸ブロックと前記ねじボルトがねじ山によって係合され、前記ねじボルトの底部には副傘歯車が設けられ、前記スライドチャンバの中には心棒が設けられ、前記心棒の右端には正傘歯車が設けられ、前記心棒の左端には副プーリが設けられ、前記分配軸の外壁には一方向プーリが設けられ、前記一方向プーリと前記副プーリとの間には第二ベルトが伝動できるように設置され、前記心棒と前記スライドチャンバの左壁との間には力蓄積ばねが設けられる。
【０００６】
優選的には、前記吸着装置は前記浄化チャンバの右端に設置される濾過網を含み、前記正反チャンバの中には分配軸が設けられ、前記分配軸の左端には従プーリが設けられ、前記従プーリと前記主プーリとの間には第一ベルトが伝動できるように設けられ、前記正反チャンバの右壁の中には加速チャンバが設けられ、前記加速チャンバの中には左軸が設けられ、前記左軸の中には太陽歯車が設けられ、前記太陽歯車とリングギヤとの間には遊星歯車が伝動できるように設けられ、前記左軸の右端には永久磁石が設けられ、前記加速チャンバの右壁の中にはコイルが設けられ、前記加速チャンバの頂壁の中には電池が設けられ、前記電池と前記コイルとが下電気配線によって電気的に接続され、前記正反チャンバの右壁の中には接続チャンバが設けられ、前記接続チャンバの中にはプラグがスライドできるように設けられ、前記プラグと前記接続チャンバの底壁との間には復帰撥条が弾性的に設けられ、前記プラグと前記電池とが左電気配線によって電気的に接続され、前記接続チャンバの頂壁の中にはコンセントが設けられ、前記浄化チャンバの中には吸着板が上下に対称的に設置され、前記吸着板と前記コンセントとが上電気配線によって電気的に接続される；前記吸着装置によって空気内の異物を吸着し、空気を浄化できる。
【０００７】
優選的には、前記清掃装置は前記浄化チャンバの中に設置される縦軸を含み、前記縦軸の頂端には従傘歯車が設置され、前記縦軸の底端には回転ロッドが設置され、前記浄化チャンバの中には掃き板がスライドできるように設けられ、前記掃き板の底端には刷毛が設けられ、前記掃き板の中にはスライド溝が設けられ、前記スライド溝が前記回転ロッドと係合される；前記清掃装置によって前記吸着板の頂端を清掃し、前記吸着装置の吸着効果を保証できる。
【発明の効果】
【０００８】
本発明の有益効果は：本発明は構造が簡単で、メンテナンスが便利で、生産が簡単であり、ニット帽をかぶると同時にマスクも簡単に着用でき、しかもマスクは静電気吸着原理によって浄化効果が顕著であり、吸い込まれた空気質を保証でき、より高い使用と宣伝価値を有する。
【図面の簡単な説明】
【０００９】
【図１】図１は本発明のマスク付ニット帽の全体構成模式図である；
【図２】図２は図１のＡの構成概略図である；
【図３】図３は図２のＢの構造概略図である。
【発明を実施するための形態】
【００１０】
以下、図１−３を合わせて本発明を詳しく説明し、便利に叙述するように、現在は後文に出る方位を下記の通りに規定する：後文に出る上下左右前後方向は図１本体の投影関係の上下左右前後方向と一致する。
【００１１】
図１−３が示すように、本発明のマスク付ニット帽は、ニット帽１１を含み、前記ニット帽１１の中の底部には引掛り溝１２が設けられ、前記ニット帽１１の下にはマスク１４が設けられ、前記マスク１４の頂端にはボタン１３が設けられ、前記ボタン１３が前記引掛り溝１２と接続され、前記マスク１４の中には浄化チャンバ３４が設けられ、前記浄化チャンバ３４の中には吸着装置１００が設けられ、前記吸着装置１００には清掃装置３００が設けられ、前記浄化チャンバ３４の下壁の中には正反チャンバ４０が設けられ、前記浄化チャンバ３４の中には駆動装置４００が設けられ、前記駆動装置４００は前記浄化チャンバ３４の中に位置される羽根１６を含み、前記正反チャンバ４０の左壁の中にはベルトチャンバ２０が設けられ、前記ベルトチャンバ２０の中には主軸１７が設けられ、前記主軸１７と前記羽根１６とが固定的に接続され、前記主軸１７の右端には一方向傘歯車３３が設けられ、前記主軸１７の外壁には主プーリ１８が設けられる；該設備は前記吸着装置１００によって吸い込まれる空気を静電気で吸着浄化でき、
前記分配軸２２の外壁には回し輪４８が設けられ、前記正反チャンバ４０の中にはスリーブ軸４２が設けられ、前記スリーブ軸４２の左端には溝付き輪４１が設けられ、前記スリーブ軸４２の右端には回転盤５６が設けられ、前記回転盤５６の中にはスライドチャンバ６２が設けられ、前記スライドチャンバ６２の中にはねじボルト５９が設けられ、前記回転盤５６の中には凸ブロック６０がスライドできるように設置され、前記凸ブロック６０と前記ねじボルト５９がねじ山によって係合され、前記ねじボルト５９の底部には副傘歯車５８が設けられ、前記スライドチャンバ６２の中には心棒４４が設けられ、前記心棒４４の右端には正傘歯車５７が設けられ、前記心棒４４の左端には副プーリ４３が設けられ、前記分配軸２２の外壁には一方向プーリ４７が設けられ、前記一方向プーリ４７と前記副プーリ４３との間には第二ベルト４６が伝動できるように設置され、前記心棒４４と前記スライドチャンバ６２の左壁との間には力蓄積ばね４５が設けられる。
【００１２】
有益的には、前記吸着装置１００は前記浄化チャンバ３４の右端に設置される濾過網２５を含み、前記正反チャンバ４０の中には分配軸２２が設けられ、前記分配軸２２の左端には従プーリ２１が設けられ、前記従プーリ２１と前記主プーリ１８との間には第一ベルト１９が伝動できるように設けられ、前記正反チャンバ４０の右壁の中には加速チャンバ５５が設けられ、前記加速チャンバ５５の中には左軸５２が設けられ、前記左軸５２の中には太陽歯車５１が設けられ、前記太陽歯車５１とリングギヤ４９との間には遊星歯車５０が伝動できるように設けられ、前記左軸５２の右端には永久磁石５４が設けられ、前記加速チャンバ５５の右壁の中にはコイル５３が設けられ、前記加速チャンバ５５の頂壁の中には電池２４が設けられ、前記電池２４と前記コイル５３とが下電気配線２３によって電気的に接続され、前記正反チャンバ４０の右壁の中には接続チャンバ３９が設けられ、前記接続チャンバ３９の中にはプラグ３７がスライドできるように設けられ、前記プラグ３７と前記接続チャンバ３９の底壁との間には復帰撥条３８が弾性的に設けられ、前記プラグ３７と前記電池２４とが左電気配線６１によって電気的に接続され、前記接続チャンバ３９の頂壁の中にはコンセント３６が設けられ、前記浄化チャンバ３４の中には吸着板２５が上下に対称的に設置され、前記吸着板２５と前記コンセント３６とが上電気配線３５によって電気的に接続される；前記吸着装置１００によって空気内の異物を吸着し、空気を浄化で
きる。
【００１３】
有益的には、前記清掃装置３００は前記浄化チャンバ３４の中に設置される縦軸３０を含み、前記縦軸３０の頂端には従傘歯車３１が設置され、前記縦軸３０の底端には回転ロッド２９が設置され、前記浄化チャンバ３４の中には掃き板２７がスライドできるように設けられ、前記掃き板２７の底端には刷毛２６が設けられ、前記掃き板２７の中にはスライド溝２８が設けられ、前記スライド溝２８が前記回転ロッド２９と係合される；前記清掃装置３００によって前記吸着板２５の頂端を清掃し、前記吸着装置１００の吸着効果を保証できる。
【００１４】
該設備を使用する時、使用者は帽子を頭にかぶり、マスクを着用しようとする時、ボタン１３が引掛り溝１２と係合され、使用者は空気を吸い込むと、羽根１６が正方向に回転して主軸１７と、主プーリ１８と、従プーリ２１とによって分配軸２２を回転連動させ、更に回し輪４８と、溝付き輪４１と、スリーブ軸４２と、回転盤５６と、凸ブロック６０とによってプラグ３７を連動させて上にスライドさせてコンセント３６と係合させ、同時に分配軸２２がリングギヤ４９と、遊星歯車５０と、太陽歯車５１と、左軸５２とによって永久磁石５４を回転連動させ、永久磁石５４とコイル５３が相対的な運動を行って電流を発生し、また下電気配線２３と、電池２４と、左電気配線６１と、プラグ３７と、コンセント３６と、上電気配線３５とによって吸着板２５を通電連動させ、吸い込まれた空気を浄化し、使用者が空気を吐き出す時、羽根１６が逆方向に回転して主軸１７によって主プーリ１８と、一方向傘歯車３３とを回転連動させ、主プーリ１８が従プーリ２１と、分配軸２２と、一方向プーリ４７と、副プーリ４３と、心棒４４と、正傘歯車５７と、副傘歯車５８と、ねじボルト５９とによって凸ブロック６０を下にスライド連動させ、更にプラグ３７を連動させて下にスライドさせ手コンセント３６との係合から離脱させ、同時に、力蓄積ばね４５の弾性位置エネルギーが増え、これと同時に、一方向傘歯車３３が従傘歯車３１と、縦軸３０と、回転ロッド２９とによって掃き板２７を連動させて前後にスライドさせ、更に刷毛２６を連動させて前後にスライドさせて吸着板２５の頂端を清掃し、使用者が空気を吐き出す時、力蓄積ばね４５の弾性位置エネルギーが釈放されて正傘歯車５７を連動させて逆方向に回転させ、また副傘歯車５８とねじボルト５９によって凸ブロック６０を連動させて上にスライドさせ、次の循環に入る。
【００１５】
本発明の有益効果は：本発明は構造が簡単で、メンテナンスが便利で、生産が簡単であり、ニット帽をかぶると同時にマスクも簡単に着用でき、しかもマスクは静電気吸着原理によって浄化効果が顕著であり、吸い込まれた空気質を保証でき、より高い使用と宣伝価値を有する。
【００１６】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【手続補正書】
【提出日】令和2年1月11日(2020.1.11)
【手続補正１】
【補正対象書類名】特許請求の範囲
【補正対象項目名】全文
【補正方法】変更
【補正の内容】
【特許請求の範囲】
【請求項１】
ニット帽を含み、前記ニット帽の中の底部には引掛り溝が設けられ、前記ニット帽の下にはマスクが設けられ、前記マスクの頂端にはボタンが設けられ、前記ボタンが前記引掛り溝と接続され、前記マスクの中には浄化チャンバが設けられ、前記浄化チャンバの中には吸着装置が設けられ、前記吸着装置には清掃装置が設けられ、前記浄化チャンバの下壁の中には正反チャンバが設けられ、前記浄化チャンバの中には駆動装置が設けられ、前記駆動装置は前記浄化チャンバの中に位置される羽根を含み、前記正反チャンバの左壁の中にはベルトチャンバが設けられ、前記ベルトチャンバの中には主軸が設けられ、前記主軸と前記羽根とが固定的に接続され、前記主軸の右端には一方向傘歯車が設けられ、前記主軸の外壁には主プーリが設けられる；該設備は前記吸着装置によって吸い込まれる空気を静電気で吸着浄化でき、
分配軸の外壁には回し輪が設けられ、前記正反チャンバの中にはスリーブ軸が設けられ、前記スリーブ軸の左端には溝付き輪が設けられ、前記スリーブ軸の右端には回転盤が設けられ、前記回転盤の中にはスライドチャンバが設けられ、前記スライドチャンバの中にはねじボルトが設けられ、前記回転盤の中には凸ブロックがスライドできるように設置され、前記凸ブロックと前記ねじボルトがねじ山によって係合され、前記ねじボルトの底部には副傘歯車が設けられ、前記スライドチャンバの中には心棒が設けられ、前記心棒の右端には正傘歯車が設けられ、前記心棒の左端には副プーリが設けられ、前記分配軸の外壁には一方向プーリが設けられ、前記一方向プーリと前記副プーリとの間には第二ベルトが伝動できるように設置され、前記心棒と前記スライドチャンバの左壁との間には力蓄積ばねが設けられることを特徴とするマスク付ニット帽。
【請求項２】
前記吸着装置は前記浄化チャンバの右端に設置される濾過網を含み、前記分配軸が前記正反チャンバの中に設けられ、前記分配軸の左端には従プーリが設けられ、前記従プーリと前記主プーリとの間には第一ベルトが伝動できるように設けられ、前記正反チャンバの右壁の中には加速チャンバが設けられ、前記加速チャンバの中には左軸が設けられ、前記左軸の中には太陽歯車が設けられ、前記太陽歯車とリングギヤとの間には遊星歯車が伝動できるように設けられ、前記左軸の右端には永久磁石が設けられ、前記加速チャンバの右壁の中にはコイルが設けられ、前記加速チャンバの頂壁の中には電池が設けられ、前記電池と前記コイルとが下電気配線によって電気的に接続され、前記正反チャンバの右壁の中には接続チャンバが設けられ、前記接続チャンバの中にはプラグがスライドできるように設けられ、前記プラグと前記接続チャンバの底壁との間には復帰撥条が弾性的に設けられ、前記プラグと前記電池とが左電気配線によって電気的に接続され、前記接続チャンバの頂壁の中にはコンセントが設けられ、前記浄化チャンバの中には吸着板が上下に対称的に設置され、前記吸着板と前記コンセントとが上電気配線によって電気的に接続される；前記吸着装置によって空気内の異物を吸着し、空気を浄化できることを特徴とする請求項１に記載のマスク付ニット帽。
【請求項３】
前記清掃装置は前記浄化チャンバの中に設置される縦軸を含み、前記縦軸の頂端には従傘歯車が設置され、前記縦軸の底端には回転ロッドが設置され、前記浄化チャンバの中には掃き板がスライドできるように設けられ、前記掃き板の底端には刷毛が設けられ、前記掃き板の中にはスライド溝が設けられ、前記スライド溝が前記回転ロッドと係合される；前記清掃装置によって前記吸着板の頂端を清掃し、前記吸着装置の吸着効果を保証できることを特徴とする請求項２に記載のマスク付ニット帽。
【手続補正２】
【補正対象書類名】明細書
【補正対象項目名】全文
【補正方法】変更
【補正の内容】
【発明の詳細な説明】
【技術分野】
【０００１】
本発明は生活用品分野に関し、具体的にはマスク付ニット帽である。
【背景技術】
【０００２】
寒い冬において、ニット帽を被ったり、火をつけたりして暖を取る人が多い一方、火をつければつけるほど空気が悪くなり、健康を守るためにマスクがすでに日常生活で不可欠な用品となり、しかし、ニット帽とマスクを同時に着用することに不便があるだけでなく、現在のマスクでは空気を浄化する限度があり、そのため、浄化効果が高く、且つ着用しやすいマスク付ニット帽を提供するのは本願発明の目的である。
【先行技術文献】
【特許文献】
【０００３】
【特許文献１】中国特許出願公開第１０６４９０７２１号明細書
【発明の概要】
【発明が解決しようとする課題】
【０００４】
本発明の目的はマスク付ニット帽を提供し、それは上記の現在の技術中の問題を解決できる。
【課題を解決するための手段】
【０００５】
本発明のマスク付ニット帽は、ニット帽を含み、前記ニット帽の中の底部には引掛り溝が設けられ、前記ニット帽の下にはマスクが設けられ、前記マスクの頂端にはボタンが設けられ、前記ボタンが前記引掛り溝と接続され、前記マスクの中には浄化チャンバが設けられ、前記浄化チャンバの中には吸着装置が設けられ、前記吸着装置には清掃装置が設けられ、前記浄化チャンバの下壁の中には正反チャンバが設けられ、前記浄化チャンバの中には駆動装置が設けられ、前記駆動装置は前記浄化チャンバの中に位置される羽根を含み、前記正反チャンバの左壁の中にはベルトチャンバが設けられ、前記ベルトチャンバの中には主軸が設けられ、前記主軸と前記羽根とが固定的に接続され、前記主軸の右端には一方向傘歯車が設けられ、前記主軸の外壁には主プーリが設けられる；該設備は前記吸着装置によって吸い込まれる空気を静電気で吸着浄化でき、
分配軸の外壁には回し輪が設けられ、前記正反チャンバの中にはスリーブ軸が設けられ、前記スリーブ軸の左端には溝付き輪が設けられ、前記スリーブ軸の右端には回転盤が設けられ、前記回転盤の中にはスライドチャンバが設けられ、前記スライドチャンバの中にはねじボルトが設けられ、前記回転盤の中には凸ブロックがスライドできるように設置され、前記凸ブロックと前記ねじボルトがねじ山によって係合され、前記ねじボルトの底部には副傘歯車が設けられ、前記スライドチャンバの中には心棒が設けられ、前記心棒の右端には正傘歯車が設けられ、前記心棒の左端には副プーリが設けられ、前記分配軸の外壁には一方向プーリが設けられ、前記一方向プーリと前記副プーリとの間には第二ベルトが伝動できるように設置され、前記心棒と前記スライドチャンバの左壁との間には力蓄積ばねが設けられる。
【０００６】
優選的には、前記吸着装置は前記浄化チャンバの右端に設置される濾過網を含み、前記分配軸が前記正反チャンバの中に設けられ、前記分配軸の左端には従プーリが設けられ、前記従プーリと前記主プーリとの間には第一ベルトが伝動できるように設けられ、前記正反チャンバの右壁の中には加速チャンバが設けられ、前記加速チャンバの中には左軸が設けられ、前記左軸の中には太陽歯車が設けられ、前記太陽歯車とリングギヤとの間には遊星歯車が伝動できるように設けられ、前記左軸の右端には永久磁石が設けられ、前記加速チャンバの右壁の中にはコイルが設けられ、前記加速チャンバの頂壁の中には電池が設けられ、前記電池と前記コイルとが下電気配線によって電気的に接続され、前記正反チャンバの右壁の中には接続チャンバが設けられ、前記接続チャンバの中にはプラグがスライドできるように設けられ、前記プラグと前記接続チャンバの底壁との間には復帰撥条が弾性的に設けられ、前記プラグと前記電池とが左電気配線によって電気的に接続され、前記接続チャンバの頂壁の中にはコンセントが設けられ、前記浄化チャンバの中には吸着板が上下に対称的に設置され、前記吸着板と前記コンセントとが上電気配線によって電気的に接続される；前記吸着装置によって空気内の異物を吸着し、空気を浄化できる。
【０００７】
優選的には、前記清掃装置は前記浄化チャンバの中に設置される縦軸を含み、前記縦軸の頂端には従傘歯車が設置され、前記縦軸の底端には回転ロッドが設置され、前記浄化チャンバの中には掃き板がスライドできるように設けられ、前記掃き板の底端には刷毛が設けられ、前記掃き板の中にはスライド溝が設けられ、前記スライド溝が前記回転ロッドと係合される；前記清掃装置によって前記吸着板の頂端を清掃し、前記吸着装置の吸着効果を保証できる。
【発明の効果】
【０００８】
本発明の有益効果は：本発明は構造が簡単で、メンテナンスが便利で、生産が簡単であり、ニット帽をかぶると同時にマスクも簡単に着用でき、しかもマスクは静電気吸着原理によって浄化効果が顕著であり、吸い込まれた空気質を保証でき、より高い使用と宣伝価値を有する。
【図面の簡単な説明】
【０００９】
【図１】図１は本発明のマスク付ニット帽の全体構成模式図である；
【図２】図２は図１のＡの構成概略図である；
【図３】図３は図２のＢの構造概略図である。
【発明を実施するための形態】
【００１０】
以下、図１−３を合わせて本発明を詳しく説明し、便利に叙述するように、現在は後文に出る方位を下記の通りに規定する：後文に出る上下左右前後方向は図１本体の投影関係の上下左右前後方向と一致する。
【００１１】
図１−３が示すように、本発明のマスク付ニット帽は、ニット帽１１を含み、前記ニット帽１１の中の底部には引掛り溝１２が設けられ、前記ニット帽１１の下にはマスク１４が設けられ、前記マスク１４の頂端にはボタン１３が設けられ、前記ボタン１３が前記引掛り溝１２と接続され、前記マスク１４の中には浄化チャンバ３４が設けられ、前記浄化チャンバ３４の中には吸着装置１００が設けられ、前記吸着装置１００には清掃装置３００が設けられ、前記浄化チャンバ３４の下壁の中には正反チャンバ４０が設けられ、前記浄化チャンバ３４の中には駆動装置４００が設けられ、前記駆動装置４００は前記浄化チャンバ３４の中に位置される羽根１６を含み、前記正反チャンバ４０の左壁の中にはベルトチャンバ２０が設けられ、前記ベルトチャンバ２０の中には主軸１７が設けられ、前記主軸１７と前記羽根１６とが固定的に接続され、前記主軸１７の右端には一方向傘歯車３３が設けられ、前記主軸１７の外壁には主プーリ１８が設けられる；該設備は前記吸着装置１００によって吸い込まれる空気を静電気で吸着浄化でき、
分配軸２２の外壁には回し輪４８が設けられ、前記正反チャンバ４０の中にはスリーブ軸４２が設けられ、前記スリーブ軸４２の左端には溝付き輪４１が設けられ、前記スリーブ軸４２の右端には回転盤５６が設けられ、前記回転盤５６の中にはスライドチャンバ６２が設けられ、前記スライドチャンバ６２の中にはねじボルト５９が設けられ、前記回転盤５６の中には凸ブロック６０がスライドできるように設置され、前記凸ブロック６０と前記ねじボルト５９がねじ山によって係合され、前記ねじボルト５９の底部には副傘歯車５８が設けられ、前記スライドチャンバ６２の中には心棒４４が設けられ、前記心棒４４の右端には正傘歯車５７が設けられ、前記心棒４４の左端には副プーリ４３が設けられ、前記分配軸２２の外壁には一方向プーリ４７が設けられ、前記一方向プーリ４７と前記副プーリ４３との間には第二ベルト４６が伝動できるように設置され、前記心棒４４と前記スライドチャンバ６２の左壁との間には力蓄積ばね４５が設けられる。
【００１２】
有益的には、前記吸着装置１００は前記浄化チャンバ３４の右端に設置される濾過網２５を含み、前記分配軸２２が前記正反チャンバ４０の中に設けられ、前記分配軸２２の左端には従プーリ２１が設けられ、前記従プーリ２１と前記主プーリ１８との間には第一ベルト１９が伝動できるように設けられ、前記正反チャンバ４０の右壁の中には加速チャンバ５５が設けられ、前記加速チャンバ５５の中には左軸５２が設けられ、前記左軸５２の中には太陽歯車５１が設けられ、前記太陽歯車５１とリングギヤ４９との間には遊星歯車５０が伝動できるように設けられ、前記左軸５２の右端には永久磁石５４が設けられ、前記加速チャンバ５５の右壁の中にはコイル５３が設けられ、前記加速チャンバ５５の頂壁の中には電池２４が設けられ、前記電池２４と前記コイル５３とが下電気配線２３によって電気的に接続され、前記正反チャンバ４０の右壁の中には接続チャンバ３９が設けられ、前記接続チャンバ３９の中にはプラグ３７がスライドできるように設けられ、前記プラグ３７と前記接続チャンバ３９の底壁との間には復帰撥条３８が弾性的に設けられ、前記プラグ３７と前記電池２４とが左電気配線６１によって電気的に接続され、前記接続チャンバ３９の頂壁の中にはコンセント３６が設けられ、前記浄化チャンバ３４の中には吸着板２５が上下に対称的に設置され、前記吸着板２５と前記コンセント３６とが上電気配線３５によって電気的に接続される；前記吸着装置１００によって空気内の異物を吸着し、空気を浄化で
きる。
【００１３】
有益的には、前記清掃装置３００は前記浄化チャンバ３４の中に設置される縦軸３０を含み、前記縦軸３０の頂端には従傘歯車３１が設置され、前記縦軸３０の底端には回転ロッド２９が設置され、前記浄化チャンバ３４の中には掃き板２７がスライドできるように設けられ、前記掃き板２７の底端には刷毛２６が設けられ、前記掃き板２７の中にはスライド溝２８が設けられ、前記スライド溝２８が前記回転ロッド２９と係合される；前記清掃装置３００によって前記吸着板２５の頂端を清掃し、前記吸着装置１００の吸着効果を保証できる。
【００１４】
該設備を使用する時、使用者は帽子を頭にかぶり、マスクを着用しようとする時、ボタン１３が引掛り溝１２と係合され、使用者は空気を吸い込むと、羽根１６が正方向に回転して主軸１７と、主プーリ１８と、従プーリ２１とによって分配軸２２を回転連動させ、更に回し輪４８と、溝付き輪４１と、スリーブ軸４２と、回転盤５６と、凸ブロック６０とによってプラグ３７を連動させて上にスライドさせてコンセント３６と係合させ、同時に分配軸２２がリングギヤ４９と、遊星歯車５０と、太陽歯車５１と、左軸５２とによって永久磁石５４を回転連動させ、永久磁石５４とコイル５３が相対的な運動を行って電流を発生し、また下電気配線２３と、電池２４と、左電気配線６１と、プラグ３７と、コンセント３６と、上電気配線３５とによって吸着板２５を通電連動させ、吸い込まれた空気を浄化し、使用者が空気を吐き出す時、羽根１６が逆方向に回転して主軸１７によって主プーリ１８と、一方向傘歯車３３とを回転連動させ、主プーリ１８が従プーリ２１と、分配軸２２と、一方向プーリ４７と、副プーリ４３と、心棒４４と、正傘歯車５７と、副傘歯車５８と、ねじボルト５９とによって凸ブロック６０を下にスライド連動させ、更にプラグ３７を連動させて下にスライドさせ手コンセント３６との係合から離脱させ、同時に、力蓄積ばね４５の弾性位置エネルギーが増え、これと同時に、一方向傘歯車３３が従傘歯車３１と、縦軸３０と、回転ロッド２９とによって掃き板２７を連動させて前後にスライドさせ、更に刷毛２６を連動させて前後にスライドさせて吸着板２５の頂端を清掃し、使用者が空気を吐き出す時、力蓄積ばね４５の弾性位置エネルギーが釈放されて正傘歯車５７を連動させて逆方向に回転させ、また副傘歯車５８とねじボルト５９によって凸ブロック６０を連動させて上にスライドさせ、次の循環に入る。
【００１５】
本発明の有益効果は：本発明は構造が簡単で、メンテナンスが便利で、生産が簡単であり、ニット帽をかぶると同時にマスクも簡単に着用でき、しかもマスクは静電気吸着原理によって浄化効果が顕著であり、吸い込まれた空気質を保証でき、より高い使用と宣伝価値を有する。
【００１６】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。